(57)【要約】【課題】簡便に文字入力を可能としながら自然な会話の雰囲気での音声出力を可能とすることで、違和感のない会話を実現可能な発声支援システム、入力デバイス及び変換プログラムを提供する。【解決手段】使用者の左手小指、左手薬指、左手中指、左手人差し指、右手人差し指、右手中指、右手薬指、右手小指による入力操作をそれぞれ受け付ける８つの入力キーと、使用者の左手親指及び／または右手親指の入力操作を受け付けるエンターキーとを具備する入力デバイスを用い、この入力デバイスによる単文節の入力情報に対応する言葉を特定する変換器と、言葉を音声出力するスピーカとを備える発声支援システムとする。【選択図】図２
2019204237.tif 000002
【特許請求の範囲】
【請求項１】
使用者の左手小指、左手薬指、左手中指、左手人差し指、右手人差し指、右手中指、右手薬指、右手小指による入力操作をそれぞれ受け付ける８つの入力キーと、前記使用者の左手親指及び／または右手親指の入力操作を受け付けるエンターキーとを具備する入力デバイスと、
この入力デバイスによる単文節の入力情報に対応する言葉を特定する変換器と、
前記言葉を音声出力するスピーカと
を備えた発声支援システム。
【請求項２】
前記左手小指による入力操作により、アルファベットの「Ｑ」「Ａ」「Ｚ」のいずれかが入力されたものとし、
前記左手薬指による入力操作により、アルファベットの「Ｗ」「Ｓ」「Ｘ」のいずれかが入力されたものとし、
前記左手中指による入力操作により、アルファベットの「Ｅ」「Ｄ」「Ｃ」のいずれかが入力されたものとし、
前記左手人差し指による入力操作により、アルファベットの「Ｒ」「Ｔ」「Ｆ」「Ｇ」「Ｖ」「Ｂ」のいずれかが入力されたものとし、
前記右手人差し指による入力操作により、アルファベットの「Ｙ」「Ｕ」「Ｈ」「Ｊ」「Ｎ」「Ｍ」のいずれかが入力されたものとし、
前記右手中指による入力操作により、アルファベットの「Ｉ」「Ｋ」のいずれかが入力されたものとし、
前記右手薬指による入力操作により、アルファベットの「Ｏ」「Ｌ」のいずれかが入力されたものとし、
前記右手小指による入力操作により、アルファベットの「Ｐ」が入力されたものとしている請求項１に記載の発声支援システム。
【請求項３】
前記右手小指による入力操作により、アルファベットの「Ｐ」または長音を示す「−」のいずれかが入力されたものとしている請求項２に記載の発声支援システム。
【請求項４】
前記変換器は、前記入力情報に対応する言葉が存在しない場合に、「えーと」等の繋ぎ言葉を前記スピーカから音声出力させる請求項１〜３のいずれか１項に記載の発声支援システム。
【請求項５】
前記スピーカから出力された音声が、前記使用者が想定していた音声と異なった場合に、前記入力デバイスに対して所定の入力操作を行うことで、「いや」等の否定の言葉を前記スピーカから出力させる請求項１〜４のいずれか１項に記載の発声支援システム。
【請求項６】
使用者の左手小指による入力操作により、アルファベットの「Ｑ」「Ａ」「Ｚ」のいずれかが入力されたものとする第１の入力キーと、
前記使用者の左手薬指による入力操作により、アルファベットの「Ｗ」「Ｓ」「Ｘ」のいずれかが入力されたものとする第２の入力キーと、
前記使用者の左手中指による入力操作により、アルファベットの「Ｅ」「Ｄ」「Ｃ」のいずれかが入力されたものとする第３の入力キーと、
前記使用者の左手人差し指による入力操作により、アルファベットの「Ｒ」「Ｔ」「Ｆ」「Ｇ」「Ｖ」「Ｂ」のいずれかが入力されたものとする第４の入力キーと、
前記使用者の右手人差し指による入力操作により、アルファベットの「Ｙ」「Ｕ」「Ｈ」「Ｊ」「Ｎ」「Ｍ」のいずれかが入力されたものとする第５の入力キーと、
前記使用者の右手中指による入力操作により、アルファベットの「Ｉ」「Ｋ」のいずれかが入力されたものとする第６の入力キーと、
前記使用者の右手薬指による入力操作により、アルファベットの「Ｏ」「Ｌ」のいずれかが入力されたものとする第７の入力キーと、
前記使用者の右手小指による入力操作により、アルファベットの「Ｐ」が入力されたものとするする第８の入力キーと、
前記使用者の左手親指及び／または右手親指による入力操作により、エンターキーが入力されたものとするエンターキーと
を具備する入力デバイス。
【請求項７】
前記使用者の右手小指による入力操作により、アルファベットの「Ｐ」または長音を示す「−」のいずれかが入力されたものとしている請求項５に記載の入力デバイス。
【請求項８】
前記第１の入力キーは、前記使用者の左手小指の指先に着脱自在に装着可能とし、
前記第２の入力キーは、前記使用者の左手薬指の指先に着脱自在に装着可能とし、
前記第３の入力キーは、前記使用者の左手中指の指先に着脱自在に装着可能とし、
前記第４の入力キーは、前記使用者の左手人差し指の指先に着脱自在に装着可能とし、
前記第５の入力キーは、前記使用者の右手人差し指の指先に着脱自在に装着可能とし、
前記第６の入力キーは、前記使用者の右手中指の指先に着脱自在に装着可能とし、
前記第７の入力キーは、前記使用者の右手薬指の指先に着脱自在に装着可能とし、
前記第８の入力キーは、前記使用者の右手小指の指先に着脱自在に装着可能とし、
前記エンターキーは、前記使用者の左手親指及び／または右手親指の指先に着脱自在に装着可能とし
ている請求項６または請求項７に記載の入力デバイス。
【請求項９】
使用者の入力操作により入力された入力情報に対応する単文節の言葉を特定して、この言葉をスピーカから音声として出力する発声支援システムの変換プログラムにおいて、
前記使用者の左手小指による入力操作により、アルファベットの「Ｑ」「Ａ」「Ｚ」のいずれかが入力されたものとし、
前使用者の記左手薬指による入力操作により、アルファベットの「Ｗ」「Ｓ」「Ｘ」のいずれかが入力されたものとし、
前記使用者の左手中指による入力操作により、アルファベットの「Ｅ」「Ｄ」「Ｃ」のいずれかが入力されたものとし、
前記使用者の左手人差し指による入力操作により、アルファベットの「Ｒ」「Ｔ」「Ｆ」「Ｇ」「Ｖ」「Ｂ」のいずれかが入力されたものとし、
前記使用者の右手人差し指による入力操作により、アルファベットの「Ｙ」「Ｕ」「Ｈ」「Ｊ」「Ｎ」「Ｍ」のいずれかが入力されたものとし、
前記使用者の右手中指による入力操作により、アルファベットの「Ｉ」「Ｋ」のいずれかが入力されたものとし、
前記使用者の右手薬指による入力操作により、アルファベットの「Ｏ」「Ｌ」のいずれかが入力されたものとし、
前記使用者の右手小指による入力操作により、アルファベットの「Ｐ」が入力されたものとして、
前記言語を特定している変換プログラム。
【請求項１０】
前記使用者の右手小指による入力操作により、アルファベットの「Ｐ」または長音を示す「−」のいずれかが入力されたものとしている請求項９に記載の変換プログラム。
【請求項１１】
前記入力情報に対応する前記言葉の対応データを備え、
この対応データに存在しない前記入力情報に対して、「えーと」等の繋ぎ言葉を対応させている請求項９または請求項１０に記載の変換プログラム。
【請求項１２】
前記使用者の左手親指及び／または右手親指による入力操作によりエンターキーが入力されたものとし、このエンターキーが連続して入力された場合に、「いや」等の否定の言葉を対応させている請求項９〜１１のいずれか１項に記載の変換プログラム。
【発明の詳細な説明】
【技術分野】
【０００１】
本発明は、使用者に代って発声する発声支援システム、及びこの発声支援システムで使用する入力デバイス及び変換プログラムに関する。
【背景技術】
【０００２】
病気等により発声ができなくなった中途障害者が、他者とのコミュニケーションを図る際には、一般的に紙と筆記用具による筆談、ノート型コンピューター等を用いた筆談、あるいはノート型コンピューター等に入力した文章データの読み上げによる音声出力（たとえば、特許文献１参照。）等が用いられることが多い。
【先行技術文献】
【特許文献】
【０００３】
【特許文献１】特開昭５９−７９３３７号公報
【発明の概要】
【発明が解決しようとする課題】
【０００４】
しかしながら、紙を用いた筆談あるいはノート型コンピューター等を用いた筆談では、通常の会話の速度よりも筆記の速度が遅いため、充分なコミュニケーションを行うことが困難であり、ストレスを感じることが多い。しかも、筆談の場合には、電話等の音声のみを媒体とするコミュニケーション方法に適用することができなかった。
【０００５】
ノート型コンピューター等での読み上げによる音声出力では、ノート型コンピューター等を携帯する必要があり、しかもノート型コンピューター等に対しての入力操作をするための場所も必要であり、使用できる環境が制限されるという問題もあった。
【０００６】
最近では、いわゆるスマートフォンを用いて音声を合成するソフトウェアも存在しているが、スマートフォンの入力形態では、スマートフォンの画面に表示されたキーを凝視しながら文字入力を行う必要があるため、一般的な対面会話環境としては不都合であった。
【０００７】
なお、種々の特殊な簡易キーボードが報告されており、入力操作の簡便化の提案がなされているが、いずれの形態のキーボードも円滑に操作するためトレーニングが必要であって、使用者への負担が大きいものとなっていた。
【０００８】
本発明者は、このような現状を鑑み、より簡便に文字入力を可能としながら自然な会話の雰囲気での音声出力を可能とすることで、違和感のない会話を実現すべく研究開発を行い、本発明を成すに至ったものである。
【課題を解決するための手段】
【０００９】
本発明の発声支援システムでは、使用者の左手小指、左手薬指、左手中指、左手人差し指、右手人差し指、右手中指、右手薬指、右手小指による入力操作をそれぞれ受け付ける８つの入力キーと、使用者の左手親指及び／または右手親指の入力操作を受け付けるエンターキーとを具備する入力デバイスを用い、この入力デバイスによる単文節の入力情報に対応する言葉を特定する変換器と、言葉を音声出力するスピーカとを備えるものである。
【００１０】
特に、入力デバイスによる入力操作では、以下のルールとしている。
・左手小指による第１の入力キーの入力操作→「Ｑ」「Ａ」「Ｚ」の入力
・左手薬指による第２の入力キーの入力操作→「Ｗ」「Ｓ」「Ｘ」の入力
・左手中指による第３の入力キーの入力操作→「Ｅ」「Ｄ」「Ｃ」の入力
・左手人差し指による第４の入力キーの入力操作→「Ｒ」「Ｔ」「Ｆ」「Ｇ」「Ｖ」「Ｂ」の入力
・右手人差し指による第５の入力キーの入力操作→「Ｙ」「Ｕ」「Ｈ」「Ｊ」「Ｎ」「Ｍ」の入力
・右手中指による第６の入力キーの入力操作→「Ｉ」「Ｋ」の入力
・右手薬指による第７の入力キーの入力操作→「Ｏ」「Ｌ」の入力
・右手小指による第８の入力キーの入力操作→「Ｐ」の入力
【００１１】
また、
・右手小指による第８の入力キーの入力操作→「Ｐ」「−」の入力
としてもよい。
【００１２】
さらに、本発明の発声支援システム及び変換プログラムでは、入力デバイスによって入力された順番情報に対応する言葉が存在しない場合に「えーと」等の繋ぎ言葉を出力させ、さらには、入力デバイスでの所定の入力操作を行うことで「いや」等の否定の言葉を出力させることにも特徴を有するものである。
【発明の効果】
【００１３】
本発明の発声支援システムによれば、単文節ごとに音声出力することで簡略化した入力操作とし、しかも簡略化した入力操作によりスムーズな言葉の音声出力を可能として、自然な会話を可能とすることができる。また、本発明の発声支援システムに用いる入力デバイスと変換システムでは、使用者への負担が少なく、かつ違和感のない会話を実現できる。
【図面の簡単な説明】
【００１４】
【図１】ｑｗｅｒｔｙタイプのキーボードの説明図である。
【図２】本発明に係る発声支援システムの説明図である。
【図３】本発明に係る変換プログラムのフローチャートである。
【図４】他の実施形態の変換プログラムのフローチャートである。
【発明を実施するための形態】
【００１５】
本発明の発声支援システムでは、使用者の左手小指、左手薬指、左手中指、左手人差し指、右手人差し指、右手中指、右手薬指、右手小指による入力操作をそれぞれ受け付ける８つの入力キーと、使用者の左手親指及び／または右手親指の入力操作を受け付けるエンターキーとを具備する入力デバイスを用い、この入力デバイスによる単文節の入力情報に対応する言葉を特定する変換器と、言葉を音声出力するスピーカとを備えるものである。
【００１６】
単文節ごとの変換として音声を出力していることで、会話の相手を長時間待たせることなく、違和感の少ない会話を実現できる。
【００１７】
しかも、単文節ごとの変換としていることで、８つの入力キーによるアルファベットのローマ字入力であっても、一般的な会話において想定外となる言葉への変換となることが少ない。
【００１８】
特に、入力デバイスでは、
・左手小指による第１の入力キーの入力操作→「Ｑ」「Ａ」「Ｚ」の入力
・左手薬指による第２の入力キーの入力操作→「Ｗ」「Ｓ」「Ｘ」の入力
・左手中指による第３の入力キーの入力操作→「Ｅ」「Ｄ」「Ｃ」の入力
・左手人差し指による第４の入力キーの入力操作→「Ｒ」「Ｔ」「Ｆ」「Ｇ」「Ｖ」「Ｂ」の入力
・右手人差し指による第５の入力キーの入力操作→「Ｙ」「Ｕ」「Ｈ」「Ｊ」「Ｎ」「Ｍ」の入力
・右手中指による第６の入力キーの入力操作→「Ｉ」「Ｋ」の入力
・右手薬指による第７の入力キーの入力操作→「Ｏ」「Ｌ」の入力
・右手小指による第８の入力キーの入力操作→「Ｐ」の入力
の入力操作としている。すなわち、図１に示すように、いわゆる一般的なｑｗｅｒｔｙタイプのキーボードでの指使いのルールとしており、中途障害者であってもｑｗｅｒｔｙタイプのキーボードのブラインドタッチが可能であれば、本発明の声支援システムを直ちに使いこなすことが可能であり、使用のための訓練の負担を大きく低減できる。
【００１９】
また、
・右手小指による第８の入力キーの入力操作→「Ｐ」「−」の入力
として、長音を示す「−」を入力可能としてもよい。
【００２０】
さらには、
・右手中指による第６の入力キーの入力操作→「Ｉ」「Ｋ」「，」の入力
・右手薬指による第７の入力キーの入力操作→「Ｏ」「Ｌ」「．」の入力
として、コンマやピリオドを入力可能としてもよい。
【００２１】
以下において、本発明の声支援システム及び入力デバイスを詳説する。
図２に示すように、本発明の発声支援システムは、入力デバイス10による入力情報に対応する言葉を特定する変換器（図示せず）と、言葉を音声出力するスピーカ21とを備えた本体デバイス20と、この本体デバイス20に接続した入力デバイス10とで構成している。本実施形態では、入力デバイス10と本体デバイス20とを有線接続としているが、無線接続としてもよい。
【００２２】
入力デバイス10は、使用者の左手小指の指先に着脱自在に装着可能とした第１の入力キー11と、使用者の左手薬指の指先に着脱自在に装着可能とした第２の入力キー12と、使用者の左手中指の指先に着脱自在に装着可能とした第３の入力キー13と、使用者の左手人差し指の指先に着脱自在に装着可能とした第４の入力キー14と、使用者の右手人差し指の指先に着脱自在に装着可能とした第５の入力キー15と、使用者の右手中指の指先に着脱自在に装着可能とした第６の入力キー16と、使用者の右手薬指の指先に着脱自在に装着可能とした第７の入力キー17と、使用者の右手小指の指先に着脱自在に装着可能とした第８の入力キー18と、使用者の左手親指及び右手親指の指先にそれぞれ着脱自在に装着可能としたエンターキー19とで構成している。
【００２３】
なお、左手親指と右手親指にそれぞれエンターキー19を装着するのではなく、たとえば左手親指にはエンターキー19を装着する一方で、右手親指にはデリートキー（図示せず）を装着して、入力ミスした際にデリートキーで修正可能としてもよい。
【００２４】
第１〜８の入力キー11〜18及びエンターキー19は、各指の指先に装着されたモーメンタリー・スイッチとなっており、指先を何かに接触させることでモーメンタリー・スイッチによる入力操作が行われたこととなる。本実施形態では、第１〜８の入力キー11〜18及びエンターキー19が装着された手を使用者自身の太ももに位置させて、各指先で太ももを触ることで入力操作を行うこととしている。なお、太ももに限定するものではなく、たとえば適宜のテーブルに触れることで入力操作を行ってもよく、身近な物体に指先を接触させることで入力操作を可能としている。
【００２５】
図２に示す実施形態では、各指先に両面テープ等を用いて第１〜８の入力キー11〜18及びエンターキー19をそれぞれ粘着させることで装着しているが、たとえば手袋の指先に第１〜８の入力キー11〜18及びエンターキー19をそれぞれ取り付けておくことで、容易に着脱可能とすることもできる。あるいは、たとえばボールのように片手で把持可能な所定形状の物体表面の各指先の位置にそれぞれオン・オフスイッチを設けて入力デバイスとしてもよい。
【００２６】
また、本実施形態では、本体デバイス20は、適宜のストラップ22を介して使用者の胸のあたりにぶら下げた状態としており、本体デバイス20に設けたスピーカ21を会話の相手に向けている。
【００２７】
本体デバイス20は、所定形状とした筐体内に変換器を構成する回路基板を収容しており、この回路基板に接続したスピーカ21から、所定の音声出力を可能としている。なお、出力する音声は、中途障害者が発声できていた頃の音声と近い音声とすることもできる。
【００２８】
変換器を構成する回路基板には、入力デバイス10からの入力信号を受け付ける入力端子、後述する変換プログラム等を記憶したメモリ、及びこの変換プログラムを実行するマイクロプロセッサ等を設けて、入力デバイス10による単文節の入力情報に対応する言葉を特定している。
【００２９】
メモリには、入力情報に対応する言葉の対応データをあらかじめデータベースとして記憶させている。特に、この対応データでは、たとえば、
・左手小指による第１の入力キーの入力操作→「１」の入力
・左手薬指による第２の入力キーの入力操作→「２」の入力
・左手中指による第３の入力キーの入力操作→「３」の入力
・左手人差し指による第４の入力キーの入力操作→「４」の入力
・右手人差し指による第５の入力キーの入力操作→「５」の入力
・右手中指による第６の入力キーの入力操作→「６」の入力
・右手薬指による第７の入力キーの入力操作→「７」の入力
・右手小指による第８の入力キーの入力操作→「８」の入力
として設定しておき、変換器では、入力デバイス10によって入力された入力情報を数字列データとして認識させている。
【００３０】
すなわち、たとえば「今日は頭が痛い」と言いたい場合には、「今日は」「頭が」「痛い」と単文節に区切って入力するが、使用者がローマ字入力として「ＫＹＯＵＨＡ（今日は）」と入力すると、変換器では「６５７５５１」の数字列データが入力されたとして認識する。そして、変換器は、この数字列データとしてあらかじめ登録された言葉である「今日は」をデータベースから特定し、スピーカ21から「今日は」の音声データを出力させている。ここで出力される音声データは、あらかじめ音声データとしてメモリに記憶させておいたものであってもよいし、テキストデータの読上げソフトを起動させて「今日は」を読上げさせることで音声データを合成させてもよい。
【００３１】
「今日は」と音声出力された後、使用者がローマ字入力として「ＡＴＡＭＡＧＡ（頭が）」と入力すると、変換器では「１４１５１４１」の文字列データが入力されたとして認識し、この数字列データとしてあらかじめ登録された言葉である「頭が」を特定して音声出力し、次いで、使用者がローマ字入力として「ＩＴＡＩ（痛い）」と入力すると、変換器では「６４１６」の文字列データが入力されたとして認識し、この数字列データとしてあらかじめ登録された言葉である「痛い」を特定して音声出力する。
【００３２】
このように、入力情報に対応する言葉の対応データをあらかじめデータベースに登録しておくことで、誤変換を防止できる。
【００３３】
ちなみに、たとえば数字列データ「６４１６」の場合、組み合わせとして
６→Ｉ，Ｋ
４→Ｒ，Ｔ，Ｆ，Ｇ，Ｖ，Ｂ
１→Ｑ、Ａ、Ｚ
６→Ｉ，Ｋ
であることから、「ＩＴＡＩ（痛い）」以外でも「ＩＲＡＩ（いらい）」「ＩＧＡＩ（いがい）」が対応し得ると考えられるが、単文節入力の場合、会話において「ＩＲＡＩ（いらい）」「ＩＧＡＩ（いがい）」だけの文節となることはなく、データベースにおいて数字列データ「６４１６」を「ＩＴＡＩ（痛い）」として登録しておくことに問題はない。
【００３４】
また、変換器では、対応データがデータベースに登録されていない文字列データの入力に対しては、誤入力されたものと考え、「えーと」等の繋ぎ言葉を対応させて音声データを出力させることとしている。このように、繋ぎ言葉を音声出力することで、使用者に対しては誤入力したことを通知して再入力を促す一方で、会話の相手に対して間をつなぐことができ、違和感を覚えさせにくくすることができる。
【００３５】
さらに、音声出力された言葉が使用者の想定していた言葉と異なっていた場合には、使用者の左手親指及び／または右手親指による入力操作によるエンターキー19の入力を連続して行わせることで、変換器では「いや」等の否定の言葉を音声出力させることとしている。このように、誤出力に対して直ちに否定の言葉を出力することで、会話の相手に誤認識を生じさせるおそれを解消できる。
【００３６】
以下において、図３に示す変換プログラムのフローチャートに基づいて、変換器での変換処理について詳説する。
【００３７】
まず、変換プログラムは、起動すると入力デバイス10からの入力操作の待ち受け状態となり、第１〜８の入力キー11〜18の入力を待ち受ける(ステップＳ１）。
【００３８】
変換プログラムは、ステップＳ１において第１〜８の入力キー11〜18の入力がない場合（ステップＳ１：NO）であって、エンターキー19の入力もない場合（ステップS2：NO）には、第１〜８の入力キー11〜18の入力を待ち受け状態を維持する。
【００３９】
変換プログラムは、ステップＳ１において第１〜８の入力キー11〜18の入力があり（ステップＳ１：YES）、エンターキー19が入力されると（ステップＳ３）、第１〜８の入力キー11〜18によって入力された数字列データを特定し、データベースの検索を行って、この数字列データに対応する言葉の対応データを特定する（ステップＳ４）。
【００４０】
変換プログラムは、ステップＳ４において数字列データに対応する言葉の対応データが存在した場合（ステップＳ４：YES）には、スピーカ21から対応データの言葉を音声出力させている（ステップＳ５）。ステップＳ５の後、変換プログラムは、ステップＳ１に戻って、次の第１〜８の入力キー11〜18の入力を待ち受ける。
【００４１】
一方、変換プログラムは、ステップＳ４において数字列データに対応する言葉の対応データが存在しなかった場合（ステップＳ４：NO）には、「えーと」等の繋ぎ言葉を音声出力させている（ステップＳ６）。ステップＳ６の後、変換プログラムは、ステップＳ１に戻って、次の第１〜８の入力キー11〜18の入力を待ち受ける。
【００４２】
一方、ステップＳ２においてエンターキー19の入力があった場合（ステップＳ２：YES）には、ステップＳ３でのエンターキー19の入力後にステップＳ２でのエンターキー19の入力が連続して行われたこととなるので、「いや」等の否定の言葉を音声出力させている（ステップＳ７）。ステップＳ７の後、変換プログラムは、ステップＳ１に戻って、次の第１〜８の入力キー11〜18の入力を待ち受ける。
【００４３】
このように、変換プログラムでは、使用者が意図しない音声出力が行われた場合、あるいは使用者が意図しない音声出力が行われる場合に、否定の言葉あるいは繋ぎ言葉を自動的に出力することで、自然な会話を演出することができ、会話の相手に違和感を覚えさせにくくすることができる。
【００４４】
他の実施形態として、入力情報に対応する言葉の対応データをあらかじめ登録したデータベースにおいて、１つの入力情報に対して複数の対応データを登録しなければならない場合には、図４のフローチャートに示す変換プログラムとすることもできる。
【００４５】
すなわち、この変換プログラムでは、起動すると入力デバイス10からの入力操作の待ち受け状態となり、第１〜８の入力キー11〜18の入力を待ち受ける(ステップＳ１’）。
【００４６】
変換プログラムは、ステップＳ１’において第１〜８の入力キー11〜18の入力があり（ステップＳ１’：YES）、エンターキー19が入力されると（ステップＳ２’）、第１〜８の入力キー11〜18によって入力された数字列データを特定し、データベースの検索を行って、この数字列データに対応する言葉の対応データを特定する（ステップＳ３’）。
【００４７】
変換プログラムは、ステップＳ３’において数字列データに対応する言葉の対応データが存在した場合（ステップＳ３’：YES）には、スピーカ21から対応データの言葉を音声出力させている（ステップＳ４’）。
【００４８】
音声出力された言葉が、使用者が意図した言葉でなかった場合には、使用者はエンターキー19を入力すること（ステップＳ５’：YES）で、ステップＳ２’でのエンターキー19の入力後にステップＳ５’でのエンターキー19の入力が連続して行われたこととなるので、変換プログラムは、「いや」等の否定の言葉を音声出力させている（ステップＳ６’）。
【００４９】
さらに、変換プログラムは、数字列データに対応する言葉の対応データの次候補を指定する設定を行う（ステップＳ７’）。すなわち、候補の指定パラメータを設けておき、通常は第１候補が選択され、第１候補でなかった場合には第２候補が選択されることとしている。
【００５０】
変換プログラムは、ステップＳ７’で対応データの次候補を指定する設定を行った後、ステップＳ３’に戻って第２候補の対応データを特定して、対応データが存在した場合（ステップＳ３’：YES）には、スピーカ21から対応データの言葉を音声出力させている（ステップＳ４’）
【００５１】
なお、第２候補でもなかった場合には、変換プログラムは、使用者がエンターキー19を入力すること（ステップＳ５’：YES）で「いや」等の否定の言葉を音声出力させて（ステップＳ６’）、ステップＳ７’で第３候補が選択されるようにしている。
【００５２】
例えば、上述した数字列データ「６４１６」の場合の「ＩＴＡＩ（痛い）」、「ＩＲＡＩ（いらい）」、「ＩＧＡＩ（いがい）」の３つ場合で説明する。ここで、第１候補として「ＩＴＡＩ（痛い）」、第２候補として「ＩＲＡＩ（いらい）」、第３候補として「ＩＧＡＩ（いがい）」が登録されていたとして、第３候補の「ＩＧＡＩ（いがい）」を音声出力したい場合には、音声出力の順番として
「ＩＴＡＩ（痛い）」→「いや」→「ＩＲＡＩ（いらい）」→「いや」→「ＩＧＡＩ（いがい）」
となり、目的の「ＩＧＡＩ（いがい）」を音声出力可能としている。
【００５３】
なお、ステップＳ３’において数字列データに対応する言葉の対応データが存在しなかった場合（ステップＳ３’：NO）には、変換プログラムは、「えーと」等の繋ぎ言葉を音声出力させて（ステップＳ８’）、ステップＳ１’に戻って、次の第１〜８の入力キー11〜18の入力を待ち受ける。
【００５４】
このように、変換プログラムでは、使用者が意図しない音声出力が行われた場合、あるいは使用者が意図しない音声出力が行われる場合に、否定の言葉あるいは繋ぎ言葉を自動的に出力することで、自然な会話を演出することができ、会話の相手に違和感を覚えさせにくくすることができる。
【００５５】
本発明の変換プログラムでは、本体デバイス20のオン・オフスイッチがオフ状態となることで、強制終了されることとなっている。
【符号の説明】
【００５６】
10  入力デバイス
11  第１の入力キー
12  第２の入力キー
13  第３の入力キー
14  第４の入力キー
15  第５の入力キー
16  第６の入力キー
17  第７の入力キー
18  第８の入力キー
19  エンターキー
20  本体デバイス
21  スピーカ
22  ストラップ
【図１】
2019204237.tif 000003
【図２】
2019204237.tif 000004
【図３】
2019204237.tif 000005
【図４】
2019204237.tif 000006